(57)【要約】【課題】厚みや重量やコストを低減しながら、内部から放出される電磁波をシールドし、全体の構造的強度を維持できる無線端末のシールド構造を提供する。【解決手段】無線端末１のキー構造とシールド構造は、両構造に共通の基板１１と、基板１１に実装された電気部品１６と、放射される電磁波をシールドするために電気部品１６を取り囲んで基板１１に設けられ上面の内側に開口部を有する穴開きシールドケース１５と、キーパッドが配設されるキー基板１４と、基板１１に取り付けられてキー基板１４を支持するキーフレーム１２と、穴開きシールドケース１５の上面の開口部周辺とキーフレーム１２の下面との間に設けられた導電性シート１３とを有する。キーフレーム１２の裏側に導電性シート１３を貼り付け、穴開きシールドケース１５の上に密着させる構造とすることで、シールドケースとキーフレームとの機能を１枚の板金で実現することができる。【選択図】図１
2006147917.tif 000002
【特許請求の範囲】
【請求項１】
基板に実装された電気部品からの電磁波の漏洩を防止するための無線端末のシールド構造であって、
前記基板上に前記電気部品を取り囲んで配設され、該基板と対向する面にメンテナンス用の開口部を有する穴開きシールドケースと、
前記穴開きシールドケースの前記開口部と対向する位置に配置された導電性を有する平板状の前記無線端末の構成部材と、
前記導電性を有する平板状の構成部材の前記穴開きシールドケース側の面に貼り付けられ、前記無線端末が組み立てられたとき反対面が前記穴開きシールドケースの前記開口部の周辺に密着する導電性シート材とを有する、無線端末のシールド構造。
【請求項２】
前記導電性を有する平板状の構成部材が、前記穴開きシールドケースの開口部と対向する位置に配置され、その上面でキー基板を支持する導電性のキーフレームであり、
前記導電シート材が所定の厚みと弾性を有する導電シートである、請求項１に記載の無線端末のシールド構造。
【請求項３】
前記導電シート材が導電性両面テープである、請求項２に記載の無線端末のシールド構造。
【請求項４】
前記導電性を有する平板状の構成部材が、前記導電シート材が貼り付けられる裏面に導体部が露出されている剛性を有するキー基板であり、
前記導電シート材が所定の厚みと弾性を有する導電シートである、請求項１に記載の無線端末のシールド構造。
【請求項５】
前記導電シート材が導電性両面テープである、請求項４に記載の無線端末のシールド構造。
【請求項６】
前記導電性を有する平板状の構成部材が、導電性を有する筐体であり、
前記導電シート材が所定の厚みと弾性を有する導電シートである、請求項１に記載の無線端末のシールド構造。
【請求項７】
前記導電シート材が導電性両面テープである、請求項６に記載の無線端末のシールド構造。
【請求項８】
前記導電性を有する平板状の構成部材が、導電性を有する板金製の筐体であり、
前記導電シート材が所定の厚みと弾性を有する導電シートである、請求項１に記載の無線端末のシールド構造。
【請求項９】
前記導電シート材が導電性両面テープである、請求項８に記載の無線端末のシールド構造。
【請求項１０】
基板に実装された電気部品からの電磁波の漏洩を防止するための無線端末のシールド構造であって、
前記基板上に前記電気部品を取り囲んで配設され、該基板と対向する面にメンテナンス用の開口部を有する穴開きシールドケースと、
前記穴開きシールドケースと対向する位置に開口部を有する筐体と、
前記筐体の前記開口部に固着されており、該筐体の表面側に配置された導電性ラベルと該導電性ラベルの裏面に貼り付けられて前記無線端末が組み立てられたとき前記穴開きシールドケースの開口部に密着する導電性両面テープとから構成される平面状部材とを有する、無線端末のシールド構造。
【発明の詳細な説明】
【技術分野】
【０００１】
本発明は無線端末のシールド構造に関し、特に無線特性改善のためのシールドを構造的強度材として共用するシールド構造に関する。
【背景技術】
【０００２】
携帯電話機のような無線端末においては、通信のためにアンテナの先端部から放射される電磁波以外に、本体内の回路からも電磁波が放出され、それが本体から漏出して外部に影響を与えるおそれがあることが知られている。電磁波の人体に及ぼす影響はまだ不明ではあるが電磁波の人体への影響を抑制するために電磁シールドケースの内部に携帯電話を収納して使用することも提案されている（特許文献１、２参照）。
【０００３】
しかし、小型軽量化が求められる無線端末を電磁シールドケースに収納して使用することは要求に逆行することになるので、本体内の電磁波発生の原因となる電気部品を保守点検が可能なように穴開きシールドケース内に収納し、金属蓋を被せることにより電磁波の外部への漏出を防ぐ方法が取られるようになっている。図６は従来例の内部にシールド構造が設けられた無線端末の模式的断面図である。図６に示される無線端末６の従来のシールド構造では、基板６１に設けられた電気部品６６から放射される電磁波をシールドするために、電気部品６６を囲んで保守点検の開口部を有する穴開きシールドケース６５が設けられ、穴開きシールドケース６５に金属蓋６７を被せて電気部品６６から放射される電磁波のシールド効果を確保している。
【特許文献１】特開平１０−２７６８１７号公報
【特許文献２】特開平１１−４０９１号公報
【発明の開示】
【発明が解決しようとする課題】
【０００４】
しかし、図６に示される無線端末６では上述のシールド構造のほかに、さらにキー基板６４を含む全体の構造的強度を確保するためのキーフレーム６２がその上に配置されているという３層構造を取っていた。そのため、装置の厚みも増え、重量も増加し、コストも上昇するという問題があった。
【０００５】
本発明の目的は、厚みや重量やコストを低減しながら、内部から放出される電磁波をシールドし、全体の構造的強度を維持できる無線端末のシールド構造を提供することにある。
【課題を解決するための手段】
【０００６】
本発明の無線端末のシールド構造は、
基板に実装された電気部品からの電磁波の漏洩を防止するための無線端末のシールド構造であって、基板上に電気部品を取り囲んで配設され、その基板と対向する面にメンテナンス用の開口部を有する穴開きシールドケースと、穴開きシールドケースの開口部と対向する位置に配置された導電性を有する平板状の無線端末の構成部材と、導電性を有する平板状の構成部材の穴開きシールドケース側の面に貼り付けられ、無線端末が組み立てられたとき反対面が穴開きシールドケースの開口部の周辺に密着する導電性シート材とを有する。
【０００７】
導電性を有する平板状の構成部材が、穴開きシールドケースの開口部と対向する位置に配置され、その上面でキー基板を支持する導電性のキーフレームであり、導電シート材が所定の厚みと弾性を有する導電シートであってもよく、導電シート材が導電性両面テープであってもよい。
【０００８】
導電性を有する平板状の構成部材が、導電シート材が貼り付けられる裏面に導体部が露出されている剛性を有するキー基板であり、導電シート材が所定の厚みと弾性を有する導電シートであってもよく、導電シート材が導電性両面テープであてもよい。
【０００９】
導電性を有する平板状の構成部材が、導電性を有する筐体であり、導電シート材が所定の厚みと弾性を有する導電シートであってもよく、導電シート材が導電性両面テープであってもよい。
【００１０】
導電性を有する平板状の構成部材が、導電性を有する板金製の筐体であり、導電シート材が所定の厚みと弾性を有する導電シートであってもよく、導電シート材が導電性両面テープであってもよい。
【００１１】
他の態様では、基板に実装された電気部品からの電磁波の漏洩を防止するための無線端末のシールド構造であって、基板上に電気部品を取り囲んで配設され、その基板と対向する面にメンテナンス用の開口部を有する穴開きシールドケースと、穴開きシールドケースと対向する位置に開口部を有する筐体と、筐体の開口部に固着されており、その筐体の表面側に配置された導電性ラベルとその導電性ラベルの裏面に貼り付けられて無線端末が組み立てられたとき穴開きシールドケースの開口部の周辺に密着する導電性両面テープとから構成される平面状部材とを有する。
【００１２】
基板に実装された電気部品からの電磁波の漏洩を防止するための無線端末のシールド構造が、穴開きシールドケースと導電性を有する平板状の無線端末の構成部材と両者を密着させる導電シートや導電性両面テープによって構成され、無線端末が組み立てられたとき、穴開きシールドケースとその穴開きシールドケースの開口部に密着する導電シート材とによって基板に実装された電気部品からの電磁波の漏洩が防止される。
【発明の効果】
【００１３】
本発明は、シールドケースの機能と構造的強度維持機能とを１枚の板金で実現することができるので、シールド構造を有する無線端末の薄型化や軽量化、コスト低減に効果がある。
【発明を実施するための最良の形態】
【００１４】
本発明は、無線特性改善のためのシールドを構造的強度材として共用することを特徴とする。具体的には、穴開きシールドケースとシールド板の間に穴塞ぎ用の導電性シートもしくは導電性両面テープを実装することを特徴とする。
【００１５】
次に、本発明の実施の形態について図面を参照して説明する。図１は本発明の第１の実施の形態の無線端末のキー構造部分とシールド構造部分の模式的断面図である。第１の実施の形態の無線端末１のキー構造部分とシールド構造部分は、両構造に共通の基板１１と、基板１１に実装された集積回路（ＩＣ）、トランジスタ、コンデンサ、抵抗等の電気部品１６と、電気部品１６から放射される電磁波をシールドするために電気部品１６を取り囲んで基板１１に設けられ上面の内側にメンテナンス用の開口部を有する穴開きシールドケース１５と、基板１１と対向する位置に設けられキーパッドが配設されるキー基板１４と、基板１１に取り付けられてキー基板１４の基板１１と対向する面を支持するキーフレーム１２と、穴開きシールドケース１５の上面の開口部周辺とキーフレーム１２の下面との間に設けられた導電性シート１３を有する。
【００１６】
導電性シート１３は、その１面がキーフレーム１２の下面に貼り付けられて、他面が組立後は穴開きシールドケース１５の上面の開口部周辺と密着する構造となっている。
【００１７】
穴開きシールドケース１５は基板１１上にはんだ付けされており、電気部品１６からの不要電磁波の外部への漏洩防止のために設けられている。穴開きシールドケース１５の上面には、メンテナンス用の開口が開けられているので、電磁波漏洩防止効果はこの開口をキーフレーム１２に固着された導電性シート１３により塞ぐことにより実現される。
【００１８】
一般的にキー基板１４は薄いフレキシブル基板材が使われることが多く、キーフレーム１２は、キー基板１４がキー押下により押された場合の構造的強度を向上するためのものであるが、本発明の第１の実施の形態ではさらに導電性シート１３を介して穴開きシールドケース１５の開口を塞ぐ目的で利用されている点に特徴がある。
【００１９】
図１に示すようにキーフレーム１２の裏側に導電性シート１３を貼り付け、穴開きシールドケース１５の上に密着させる構造を持つことで、シールドケースの効果と、キーフレームの効果を１枚の板金で実現することができる。従来例の図６と比較して明らかなように従来例の金属蓋６７が不要となり、無線端末１の薄型化や軽量化、コスト低減に効果がある。
【００２０】
ここで、図１における導電性シート１３を導電性両面テープに置き換えてもよい。導電性両面テープにすることで、キーフレーム１２と穴開きシールドケース１５とが接着され、構造的な強度をさらに向上させることが可能となる。
【００２１】
次に、本発明の第２の実施の形態について図面を参照して説明する。図２は本発明の第２の実施の形態の無線端末のキー構造部分とシールド構造部分の模式的断面図である。第１の実施の形態の無線端末１では、キー基板１４を薄いフレキシブル基板としてキーフレーム１２によってキー基板１４がキー押下により押された場合の構造的強度を向上させていたが、第２の実施の形態の無線端末２ではキー基板２４をある程度の厚みと強度を持った基板としている。従ってキー押下により押された場合の構造的強度を向上させるためのキーフレームは必要がなく他の手段で無線端末２の筐体に保持されている。
【００２２】
この構造に対応して、第２の実施の形態では、キー基板２４の裏側に導体を露出させてキー基板２４の裏側に直接導電性シート２３を貼り付け、穴開きシールドケース２５の上に密着させる構造とすることで、シールド効果を穴開きシールドケース２５とキー基板２４とで達成している。ここでも従来例の図６と比較して明らかなように従来例の金属蓋６７が不要となり、無線端末２の薄型化や軽量化、コスト低減に効果がある。
【００２３】
ここで、図２における導電性シート２３を導電性両面テープに置き換えてもよい。導電性両面テープにすることで、キー基板２４と穴開きシールドケース２５とが接着され、構造的な強度をさらに向上させることが可能となる。
【００２４】
第１の実施の形態と第２の実施の形態ではキーフレーム１２やキー基板２４を利用して金属蓋６７を用いずに穴開きシールドケース１５、２５のシールド効果を得たが、筐体が導電性の材質であった場合に、この導電性筐体と導電性シートもしくは導電性両面テープによって、同様の構造と、同様の効果を得ることができる。
【００２５】
次に、本発明の第３の実施の形態について図面を参照して説明する。図３は本発明の第３の実施の形態の無線端末の筐体構造部分とシールド構造部分の模式的断面図である。第２の実施の形態では、キー基板２４の裏側に導体を露出させてキー基板２４の裏側に導電性シート２３を貼り付け、穴開きシールドケース２５の上に密着させる構造とすることで、シールド効果を穴開きシールドケース２５とキー基板２４とで達成したが、第３の実施の形態の無線端末３では、導電性筐体３７の裏側に導電性シート３３を貼り付け、穴開きシールドケース３５の上に密着させる構造とすることで、シールド効果を穴開きシールドケース３５と導電性筐体３７とで達成している。ここでも従来例の図６と比較して明らかなように従来例の金属蓋６７が不要となり、無線端末３の薄型化や軽量化、コスト低減に効果がある。
【００２６】
ここで、図３における導電性シート３３を導電性両面テープに置き換えてもよい。導電性両面テープにすることで、導電性筐体３７と穴開きシールドケース３５とが接着され、構造的な強度をさらに向上させることが可能となる。
【００２７】
次に、本発明の第４の実施の形態について図面を参照して説明する。図４は本発明の第４の実施の形態の無線端末の筐体構造部分とシールド構造部分の模式的断面図である。第３の実施の形態の無線端末３では、導電性筐体３７の裏側に導電性シート３３を貼り付け、穴開きシールドケース３５の上に密着させる構造とすることで、シールド効果を穴開きシールドケース３５と導電性筐体３７とで達成していたが、第４の実施の形態では筐体４９の穴開きシールドケース４５に対向する部分が筐体４９よりも薄い導電性の板金筐体４８となっており、板金筐体４８の裏側に導電性シート４３を貼り付け、穴開きシールドケース４５の上に密着させる構造とすることで、シールド効果を穴開きシールドケース４５と板金筐体４８とで達成している。ここでも従来例の図６と比較して明らかなように従来例の金属蓋６７が不要となり、無線端末４の薄型化や軽量化、コスト低減に効果がある。さらに、この場合筐体の厚みが薄くなっただけ第３の実施の形態に比べて端末の薄型化が可能となる。
【００２８】
ここで、図４における導電性シート４３を導電性両面テープに置き換えてもよい。導電性両面テープにすることで、板金筐体４８と穴開きシールドケース４５とが接着され、構造的な強度をさらに向上させることが可能となる。
【００２９】
次に、本発明の第５の実施の形態について図面を参照して説明する。図５は本発明の第５の実施の形態の無線端末の筐体構造部分とシールド構造部分の模式的断面図である。第４の実施の形態の無線端末４では、筐体４９の穴開きシールドケース４５に対向する部分が筐体４９よりも薄い導電性の板金筐体４８となっており、板金筐体４８の裏側に導電性シート４３を貼り付け、穴開きシールドケース４５の上に密着させる構造とすることで、シールド効果を穴開きシールドケース４５と板金筐体４８とで達成していたが、第５の実施の形態では、筐体５９の穴開きシールドケース５５に対向する部分に開口部が設けられており、開口部周辺の段差部を利用して穴開きシールドケース５５と密着するように導電性両面テープを貼り、穴開きシールドケース５５と反対側に導電性ラベル５７を貼り付けることで筐体５９の開口部を塞ぐとともに、シールド効果を穴開きシールドケース５５と導電性ラベル５７とで達成している。ここでも従来例の図６と比較して明らかなように従来例の金属蓋６７が不要となり、無線端末５の薄型化や軽量化、コスト低減に効果がある。さらに、この場合穴開きシールドケース５５と対向する部分の厚みがさらに薄くなっただけ第４の実施の形態に比べて端末の薄型化が可能となる。
【図面の簡単な説明】
【００３０】
【図１】本発明の第１の実施の形態の無線端末のキー構造部分とシールド構造部分の模式的断面図である。
【図２】本発明の第２の実施の形態の無線端末のキー構造部分とシールド構造部分の模式的断面図である。
【図３】本発明の第３の実施の形態の無線端末の筐体構造部分とシールド構造部分の模式的断面図である。
【図４】本発明の第４の実施の形態の無線端末の筐体構造部分とシールド構造部分の模式的断面図である。
【図５】本発明の第５の実施の形態の無線端末の筐体構造部分とシールド構造部分の模式的断面図である。
【図６】従来例の内部にシールド構造が設けられた無線端末の模式的断面図である。
【符号の説明】
【００３１】
１、２、３、４、５、６    無線端末
１１、２１、３１、４１、５１、６１    基板
１２、６２    キーフレーム
１３、２３、３３、４３    導電性シート
１４、２４、６４    キー基板
１５、２５、３５、４５、５５、６５    穴開きシールドケース
１６、２６、３６、４６、５６、６６    電気部品
３７    導電性筐体
４８    板金筐体
４９、５９    筐体
５３    導電性両面テープ
５７    導電性ラベル
６７    金属蓋
【図１】
2006147917.tif 000003
【図２】
2006147917.tif 000004
【図３】
2006147917.tif 000005
【図４】
2006147917.tif 000006
【図５】
2006147917.tif 000007
【図６】
2006147917.tif 000008
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
基板に実装された電気部品からの電磁波の漏洩を防止するための無線端末のシールド構造であって、
前記基板上に前記電気部品を取り囲んで配設され、該基板と対向する面にメンテナンス用の開口部を有する穴開きシールドケースと、
前記穴開きシールドケースの前記開口部と対向する位置に配置された導電性を有する平板状の前記無線端末の構成部材と、
前記導電性を有する平板状の構成部材の前記穴開きシールドケース側の面に貼り付けられ、前記無線端末が組み立てられたとき反対面が前記穴開きシールドケースの前記開口部の周辺に密着する導電性シート材とを有する、無線端末のシールド構造。
【請求項２】
前記導電性を有する平板状の構成部材が、前記穴開きシールドケースの開口部と対向する位置に配置され、その上面でキー基板を支持する導電性のキーフレームであり、
前記導電シート材が所定の厚みと弾性を有する導電シートである、請求項１に記載の無線端末のシールド構造。
【請求項３】
前記導電シート材が導電性両面テープである、請求項２に記載の無線端末のシールド構造。
【請求項４】
前記導電性を有する平板状の構成部材が、前記導電シート材が貼り付けられる裏面に導体部が露出されている剛性を有するキー基板であり、
前記導電シート材が所定の厚みと弾性を有する導電シートである、請求項１に記載の無線端末のシールド構造。
【請求項５】
前記導電シート材が導電性両面テープである、請求項４に記載の無線端末のシールド構造。
【請求項６】
前記導電性を有する平板状の構成部材が、導電性を有する筐体であり、
前記導電シート材が所定の厚みと弾性を有する導電シートである、請求項１に記載の無線端末のシールド構造。
【請求項７】
前記導電シート材が導電性両面テープである、請求項６に記載の無線端末のシールド構造。
【請求項８】
前記導電性を有する平板状の構成部材が、導電性を有する板金製の筐体であり、
前記導電シート材が所定の厚みと弾性を有する導電シートである、請求項１に記載の無線端末のシールド構造。
【請求項９】
前記導電シート材が導電性両面テープである、請求項８に記載の無線端末のシールド構造。
【請求項１０】
基板に実装された電気部品からの電磁波の漏洩を防止するための無線端末のシールド構造であって、
前記基板上に前記電気部品を取り囲んで配設され、該基板と対向する面にメンテナンス用の開口部を有する穴開きシールドケースと、
前記穴開きシールドケースと対向する位置に開口部を有する筐体と、
前記筐体の前記開口部に固着されており、該筐体の表面側に配置された導電性ラベルと該導電性ラベルの裏面に貼り付けられて前記無線端末が組み立てられたとき前記穴開きシールドケースの開口部に密着する導電性両面テープとから構成される平面状部材とを有する、無線端末のシールド構造。
【請求項１１】
前記請求項１から請求項１０のいずれか１項に記載の無線端末のシールド構造を備えた無線端末。
【手続補正３】
【補正対象書類名】明細書
【補正対象項目名】０００２
【補正方法】変更
【補正の内容】
【０００２】
携帯電話機のような無線端末においては、通信のためにアンテナの先端部から放射される電磁波以外に、本体内の回路からも電磁波が放出され、それが本体から漏出して外部に影響を与えるおそれがあることが知られており、その影響を抑制するために電磁シールドケースの内部に携帯電話を収納して使用することも提案されている（特許文献１、２参照）。
【手続補正４】
【補正対象書類名】明細書
【補正対象項目名】０００６
【補正方法】変更
【補正の内容】
【０００６】
本発明の無線端末のシールド構造および無線端末は、
基板に実装された電気部品からの電磁波の漏洩を防止するための無線端末のシールド構造および無線端末であって、基板上に電気部品を取り囲んで配設され、その基板と対向する面にメンテナンス用の開口部を有する穴開きシールドケースと、穴開きシールドケースの開口部と対向する位置に配置された導電性を有する平板状の無線端末の構成部材と、導電性を有する平板状の構成部材の穴開きシールドケース側の面に貼り付けられ、無線端末が組み立てられたとき反対面が穴開きシールドケースの開口部の周辺に密着する導電性シート材とを有する。